(57)【要約】 【課題】  穿孔ドリルの左右間隔を容易に調節することができ、かつ、十分小さな間隔に調節することも可能で、構造が簡単な穿孔機を提供する。【解決手段】  左右に複数本の穿孔ドリルを並設し、かつ、各穿孔ドリルの上方に歯付きプーリ２を付設して、歯付きプーリ２をタイミングベルト３にて回転駆動させる穿孔機に於て、全ての歯付きプーリ２を同一水平面内で、かつ、平面視一直線状に配設し、さらに、タイミングベルト３は、駆動モータによりエンドレス状に走行すると共に、平面視ストレート走行部Ｓを有し、ストレート走行部Ｓにおいて、全ての歯付きプーリ２が噛合して回転駆動されるように構成した。【選択図】  図３
2006289512.tif 000002
【特許請求の範囲】
【請求項１】
左右に複数本の穿孔ドリル（１）を並設し、かつ、各該穿孔ドリル（１）の上方に歯付きプーリ（２）を付設して、該歯付きプーリ（２）をタイミングベルト（３）にて回転駆動させる穿孔機に於て、
全ての上記歯付きプーリ（２）を同一水平面内で、かつ、平面視一直線状に配設し、さらに、上記タイミングベルト（３）は、駆動モータによりエンドレス状に走行すると共に、平面視ストレート走行部（Ｓ）を有し、該ストレート走行部（Ｓ）において、全ての上記歯付きプーリ（２）が噛合して回転駆動されるように構成したことを特徴とする穿孔機。
【請求項２】
上記各歯付きプーリ（２）に対して、上記タイミングベルト（３）を背面側から押圧する押さえローラ（４）を設けた請求項１記載の穿孔機。
【発明の詳細な説明】
【技術分野】
【０００１】
本発明は、穿孔機に係り、より詳しくは、左右に複数本の穿孔ドリルを並設した穿孔機に関する。
【背景技術】
【０００２】
従来、紙等のワークを積み重ねた状態でそれらを回転する穿孔ドリルで孔をあける穿孔機が広く使用されている。このような穿孔機では、左右に複数本の穿孔ドリルが並設されており、テーブルに載置されたワークに向けてこれら複数本の穿孔ドリルを昇降させることにより、ワークに穿孔する。
また、従来では、各穿孔ドリルの上方に穿孔ドリルと連動する歯付プーリが付設され、これら歯付プーリをエンドレス状のタイミングベルトにて回転駆動させる構造の穿孔機が存在する。このような穿孔機では、図６及び図７に於て示すように、タイミングベルト33は、複数並んだ歯付きプーリ32…に対してジグザグ状に掛けられたり（図６）、駆動モータの駆動プーリ34と歯付きプーリ32が１対１に対応するように掛けられたり（図７）していた。いずれにしても、各歯付きプーリ32に対するタイミングベルト33の巻掛け角度（歯付きプーリ32のピッチ円とタイミングベルト33のピッチ円とが一致する歯付きプーリ32の中心角度範囲）は、十分大きく（例えば、 120°以上）せねばならないという固定観念が存在していた。
【０００３】
また、従来、図６及び図７に示したものとは異なる方法で、穿孔ドリルを回転駆動させる構造の穿孔機も提案されている（例えば、特許文献１参照）。
特許文献１では、駆動モータの動力を、はすば歯車を有する管状部材が外嵌されると共に左右に延びる回転軸に伝達し、この管状部材のはすば歯車を、各穿孔ドリルの上方に設けられると共に穿孔ドリルと連動するはすば歯車と噛合させることによって、穿孔ドリルに動力を伝達する構造となっている。
【特許文献１】特開平１０−２３５５９９号公報
【発明の開示】
【発明が解決しようとする課題】
【０００４】
しかしながら、図７に示したような従来の穿孔機のタイミングベルト33の掛け方では、隣り合う穿孔ドリル（歯付きプーリ32，32）の左右間隔の調節しようとすると、タイミングベルト33の長さが合わなくなるという問題点があった。具体的には、タイミングベルト33をその都度交換しなければならないという問題点があった。また、図６のように歯付きプーリ32…に対してジグザグ状にタイミングベルト33を掛けた場合、穿孔ドリル（歯付きプーリ32，32）間のタイミングベルト33が邪魔になって、隣り合う穿孔ドリル（歯付きプーリ32，32）の左右間隔をある一定値以上に小さくするのは困難であった。
また、上記特許文献１の構造では、駆動モータの動力を、各穿孔ドリルに伝達する構造が複雑で、部品点数が多いという問題点、及び、穿孔ドリルの相互間隔を容易に変化できないという問題点があった。
そこで、本発明は、穿孔ドリルの左右間隔を容易に調節することができ、かつ、十分小さな間隔に調節するのも可能で、構造が簡単な穿孔機を提供することを目的とする。
【課題を解決するための手段】
【０００５】
上記目的を達成するために、本発明に係る穿孔機は、左右に複数本の穿孔ドリルを並設し、かつ、各該穿孔ドリルの上方に歯付きプーリを付設して、該歯付きプーリをタイミングベルトにて回転駆動させる穿孔機に於て、全ての上記歯付きプーリを同一水平面内で、かつ、平面視一直線状に配設し、さらに、上記タイミングベルトは、駆動モータによりエンドレス状に走行すると共に、平面視ストレート走行部を有し、該ストレート走行部において、全ての上記歯付きプーリが噛合して回転駆動されるように構成したものである。
また、上記各歯付きプーリに対して、上記タイミングベルトを背面側から押圧する押さえローラを設けたものである。
【発明の効果】
【０００６】
本発明は、次のような著大な効果を奏する。
本発明に係る穿孔機は、隣り合う穿孔ドリルの左右間隔の調節作業を容易にすることができる。また、穿孔ドリルの数の増減も容易に行なうことができる。
また、隣り合う穿孔ドリルの左右間隔を十分小さくすることができる。
また、従来の穿孔機と比較して部品点数が増加することがなく、構造を簡単なものとすることができ、製造コストを低減できる。
また、タイミングベルトが噛合状態から逃げるのを防止することができる。
【発明を実施するための最良の形態】
【０００７】
以下、実施の形態を示す図面に基づき本発明を詳説する。
図１及び図２に於て、本発明の実施の一形態に係る穿孔機は、紙等のワークを積み重ねた状態でそれらに穿孔するものである。この穿孔機は、上下中央に位置すると共にワークを載置するテーブル14と、テーブル14の上方に位置する穿孔機構部Ａと、を備えている。また、この穿孔機は、左右に複数本の穿孔ドリル１…を並設し、かつ、各穿孔ドリル１の上方に歯付きプーリ２を付設して、歯付きプーリ２…をエンドレス状のタイミングベルト３にて回転駆動させる方式のものである。
【０００８】
穿孔機構部Ａについて詳しく述べる。図２及び図３に於て、この穿孔機構部Ａは、左右に延びるベース部10と、穿孔機正面側となるようにベース部10に取り付けられる左右一対の側壁部材８，８と、左右に延びるように側壁部材８，８にて左右両端部が保持される外形円柱状のスライド保持杆９，９と、スライド保持杆９，９にて保持されると共に左右に複数本並ぶ穿孔ヘッド16…と、ヘッド間隔調節杆６，６と、を有している。また、穿孔機構部Ａは、エンドレス状のタイミングベルト３を走行（図３の矢印Ｃ方向）させる（図示省略の）駆動モータと、タイミングベルト３のゆるみを除去するための一つのテンショナー11と、を有している。
【０００９】
各側壁部材８の上面側には、タイミングベルト３の左右端折返部となるガイドローラ13が付設されている。このガイドローラ13，13によって、タイミングベルト３が平面視一つのストレート走行部Ｓを有するように掛けられている。
穿孔ヘッド16…は、全て同一の構造となっている。また、各穿孔ヘッド16は、取付貫通孔20を側面に有している。そして、この取付貫通孔20にスライド保持杆９，９が挿通状となるようにして、各穿孔ヘッド16はスライド保持杆９，９に取付けられている。これにより、全ての穿孔ヘッド16…は、同一水平面内、かつ、平面視一直線状となるように配設されている。また、全ての穿孔ヘッド16…は、ヘッド間隔調節杆６，６を回転させることによって、スライド保持杆９，９にガイドされつつ左右に移動自在に構成されている。これにより、隣り合う穿孔ヘッド16，16の間隔が調節可能となっている。また、穿孔ヘッド16…は、一旦側壁部材８を取り外してその個数を増減することができるように構成されている。
【００１０】
また、各穿孔ヘッド16は、スピンドル部15と、スピンドル部15の下端に取り付けられる穿孔ドリル１と、穿孔ドリル１と連動すると共に穿孔ヘッドの上側に付設される歯付きプーリ２と、紙押さえ部７と、を有している。また、各歯付きプーリ２に１対１で対応すると共に歯付きプーリ２に対してタイミングベルト３を背面側から押圧する押さえローラ４を有している。
穿孔ドリル１は、テーブル14に対して回転しながら昇降（図１の矢印Ｇ方向）し、穿孔ドリル１の中心孔を通して、穿孔した際に生じたワークの屑を排出する。
歯付きプーリ２は、図２及び図３に示すように、駆動モータからタイミングベルト３を介して歯付きプーリ２に伝達された動力を、穿孔ドリル１へ伝達するために設けられている。また、歯付きプーリ２の外径は、穿孔ドリル１の外径よりも十分大きく（例えば、４〜７倍）形成されている。
【００１１】
本発明では、歯付きプーリ２とタイミングベルト３との噛合について、次のように設定されている。
即ち、図４及び図５に於て示すように、歯付きプーリ２の歯数が例えば18〜35枚のものが使用されている。そして、歯付きプーリ２の中心角度範囲であって歯付きプーリ２のピッチ円Ｐ1 とタイミングベルト３のピッチ線（ピッチ円）Ｐ2 とが「略一致」する中心角度範囲を、巻掛け角度θと定義すると、この巻掛け角度θは、１°≦θ≦20°（より好ましくは２°≦θ≦10°）に設定されている。なお、「ピッチ円Ｐ1 とピッチ線（ピッチ円）Ｐ2 とが『略一致』する」範囲とは、ピッチ円Ｐ1 の径方向におけるピッチ円Ｐ1 とピッチ線（ピッチ円）Ｐ2 とのずれ量ｈが、歯付きプーリ２の全歯たけＨの０％〜15％の大きさの範囲であるとする。
このようにして、歯付きプーリ２とタイミングベルト３との噛み合っている一方の側の歯数は１〜３に設定するのが好ましい。図６及び図７に示した従来と比較して、巻掛け角度θが小さく、歯付きプーリ２とタイミングベルト３とが噛み合っている歯数も少ないが、穿孔ドリル１の外径よりも歯付きプーリ２の外径が十分大きく、かつ、穿孔ドリル１に必要なトルクは極めて小さいので、噛合状態を維持したまま確実に必要な回転トルクを伝達することができる。
なお、歯付きプーリ２とタイミングベルト３が噛合している領域では、タイミングベルト３は押さえローラ４の歯付きプーリ２に対する押圧によってわずかに変形して、逃げが防止されている。
【００１２】
上述した構造の穿孔ヘッド16…により、穿孔ヘッド16…の全ての歯付きプーリ２…と全ての押さえローラ４…は、図２及び図３に示すように、同一水平面内、かつ、平面視一直線状に配設される。そして、これら全ての歯付きプーリ２…が、タイミングベルト３のストレート走行部Ｓにおいて、タイミングベルト３と噛合して、同一方向に回転する。
【００１３】
テンショナー11は、揺動アーム部17と、揺動アーム部17の先端に設けられたテンションローラ12と、を有している。揺動アーム部17は、タイミングベルト３を背面側から押圧する方向（図３の矢印Ｂ方向）に弾発付勢されている。テンションローラ12は、タイミングベルト３の背面側に接触して、タイミングベルト３を押圧している。
【００１４】
次に、図１〜図３を参照して、上述した構造の穿孔機の作動について説明する。
まず、紙等のワークをテーブル14に載置する。
次に、駆動モータによりタイミングベルト３をエンドレス状に走行させる（図３の矢印Ｃ方向）。すると、各穿孔ヘッド16の歯付きプーリ２が回転駆動され（図３の矢印Ｄ方向）、各穿孔ヘッド16の押さえローラ４も回転駆動される（図３の矢印Ｅ方向）。
各穿孔ヘッド16の歯付きプーリ２が回転すると、スピンドル部15と穿孔ドリル１が回転する（図２の矢印Ｆ方向）。
【００１５】
次に、穿孔ドリル１をテーブル14に載置されたワークに向けて昇降させて、ワークに穿孔を行なう。穿孔の際に生じた屑は、図示省略の穿孔ドリル１の中心孔を通って排出される。このようにして、ワークへの穿孔作業を行なう。
ワークの穿孔位置を変更するために隣り合う穿孔ドリル１，１の左右間隔を調節する場合には、ヘッド間隔調節杆６，６を回転させて、穿孔ヘッド16をスライド保持杆９，９に沿って左右に移動させる。その際、穿孔ヘッド16の歯付きプーリ２は、タイミングベルト３と噛合した状態でタイミングベルト３のストレート走行部Ｓに沿って移動する。また、この際、この歯付きプーリ２の移動によって、タイミングベルト３がたるんだり強く引っ張られたりせず、タイミングベルト３の形状が変化しない。
【００１６】
なお、本発明は、上述の実施の形態に限定されず、本発明の要旨を逸脱しない範囲で設計変更可能である。例えば、本実施形態では、押さえローラ４が穿孔ヘッド16に設けられている場合を例示したが、本発明はこれに限るのではなく、穿孔ヘッド16とずれた箇所に設けてもよい。
【００１７】
以上のように本発明に係る穿孔機は、左右に複数本の穿孔ドリル１を並設し、かつ、各穿孔ドリル１の上方に歯付きプーリ２を付設して、歯付きプーリ２をタイミングベルト３にて回転駆動させる穿孔機に於て、全ての歯付きプーリ２を同一水平面内で、かつ、平面視一直線状に配設し、さらに、タイミングベルト３は、駆動モータによりエンドレス状に走行すると共に、平面視ストレート走行部Ｓを有し、ストレート走行部Ｓにおいて、全ての歯付きプーリ２が噛合して回転駆動されるように構成したので、隣り合う穿孔ドリル１，１の左右間隔を変更しても、タイミングベルト３の張り具合が変化しない。これにより、穿孔ドリル１，１の左右間隔の調節作業時に、テンショナー11の調整幅が大きくなったり、タイミングベルト３を交換する（長さを変更する）必要が生じたりしないので、穿孔ドリル１，１の左右間隔の調節作業が容易となる。また、穿孔ドリル１の数を増減させた場合にタイミングベルト３の張り具合が変化しないので、穿孔ドリル１の数の増減を容易に行なうことができる。
【００１８】
また、隣り合う歯付きプーリ２，２間にタイミングベルト３が全く介在しないので、穿孔ドリル１，１の左右間隔を十分接近できる。
また、従来の（図６や図７に示すような）穿孔機と比較して部品点数が増加することがなく、構造が簡単なものとすることができる。その結果、従来と比較して製造コストを低減できる。
また、各歯付きプーリ２に対して、タイミングベルト３を背面側から押圧する押さえローラ４を設けたので、タイミングベルト３が噛合状態から逃げるのを防止することができる。
【図面の簡単な説明】
【００１９】
【図１】本発明の実施の一形態に係る穿孔機を示す斜視図である。
【図２】要部拡大斜視図である。
【図３】要部拡大平面図である。
【図４】タイミングベルトと歯付プーリとの噛合状態を示す説明図である。
【図５】要部拡大説明図である。
【図６】従来の穿孔機の要部簡略平面図である。
【図７】従来の穿孔機の要部簡略平面図である。
【符号の説明】
【００２０】
１  穿孔ドリル
２  歯付きプーリ
３  タイミングベルト
４  押さえローラ
Ｓ  ストレート走行部
【図１】
2006289512.tif 000003
【図２】
2006289512.tif 000004
【図３】
2006289512.tif 000005
【図４】
2006289512.tif 000006
【図５】
2006289512.tif 000007
【図６】
2006289512.tif 000008
【図７】
2006289512.tif 000009